(57)【特許請求の範囲】
【請求項１】
間隙を介在させて相対する躯体間に床カバー板をスライド移動自在に設置して間隙を閉鎖するエキスパンションジョイントにおいて、
両端部間が伸縮自在な複数の伸縮体の各一端部を一方の躯体の壁面に回転自在に連結し、各他端部を他方の躯体の壁面に回転自在に且つ間隙長手方向へスライド移動自在に連結するとともに、これら伸縮体と交差するように配置したビーム材の一端部を一方の躯体の壁面に回転自在に連結し、他端部を他方の躯体の壁面に回転自在に且つ前記伸縮体と一体に間隙長手方向へスライド移動自在に連結して構成される欠損カバー装置を、床カバー板の下側に設けたことを特徴とするエキスパンションジョイント。
【請求項２】
間隙を介在させて相対する一方の躯体に固定して取り付けられる固定枠板と、他方の躯体にスライド移動自在に取り付けられる滑動枠板と、両端部の間隔を伸縮し得るように設けられていて前記両枠板に両端部がそれぞれ回転自在に支持される複数の伸縮体と、これら伸縮体と交差するように配置されて前記両枠板に両端部がそれぞれ回転自在に支持されるビーム材とを有して構成されるエキスパンションジョイントの欠損カバー装置。
【発明の詳細な説明】
【０００１】
【発明の属する技術分野】
本発明は、間隙を介在させて隣接した躯体間を床カバー板で連結するとともに、躯体変動に追随して床カバー板が相対変位することにより変動を吸収するエキスパンションジョイント及びその欠損カバー装置に関する。
【０００２】
【従来の技術】
図１１（ア）に示されるように、躯体Ａと躯体Ｂの間隙Ｇに床カバー板１０をスライド移動自在に設置し、躯体間隙幅方向（以下、Ｘ方向という）の変動を床カバー板１０が躯体Ｂの床面１１に沿って前後にスライド移動することにより吸収し、躯体間隙長手方向（以下、Ｙ方向という）の変動を躯体Ｂとともに床カバー板１０が躯体Ａの外壁１２に沿って横にスライド移動することにより吸収するエキスパンションジョイントの構成では、Ｙ方向への躯体の変動量が大きいときなどに、建物Ａの外壁１２と床カバー板１０の側縁の間に同図（イ）に示されるような欠損部Ｓが生じる。そのため、図１２に示されるように、床カバー板１０の両側部に欠損カバー板１４、１４を配してなる欠損カバー装置１３を設置して欠損部Ｓを閉鎖し、歩行の安全性を確保するようにしている。
【０００３】
この欠損カバー装置１３は、略々三角形状に形成された欠損カバー板１４、１４を、その頂点の端部１４ａを躯体Ｂ側に寄った床カバー板１０の下面で回転自在に支持するととともに他端部１４ｂを同じく床カバー板１０の下面に設置された、周面にバネが装着された支持杆１５で側方へ弾圧付勢して、床カバー板１０に一体に取り付けて構成されており、躯体がＸ方向へ変動したときは床カバー板１０の側方に張り出した欠損カバー板の端部１４ｂ、１４ｂがそれぞれ床カバー板１０の下側内方へ回動して床カバー板１０とともに躯体Ｂの床面１１に沿って前後にスライド移動し、また、Ｙ方向へ大きく変動したときには床カバー板１０とともに躯体Ａの外壁１２に沿って横にスライド移動し、外壁１２と床カバー板側縁の間に出来る欠損部Ｓを欠損カバー板１４で閉鎖するように設けられていた（特許文献１参照）。
【０００４】
【特許文献１】
特開２０００−１２０１８６公報
【０００５】
【発明が解決しようとする課題】
前記欠損カバー装置１３は、欠損部Ｓを確実に閉鎖することができ、地震が発生したときでも躯体連結部の歩行通路を安全に確保できるものの、床カバー板１０と一体の構造であるため、エキスパンションジョイントを設置する現場毎に床カバー板１０を含めた装置の設計及び構成部材の製作が必要であり、施工に多くの工数を要するものであった。
【０００６】
そこで、本発明は従来技術の有するこのような問題点に鑑み、躯体とエキスパンションジョイントの連結部床面の欠損を閉鎖する欠損カバー装置を、エキスパンションジョイントの設置場所や床カバー板の形状などに関わりなく、様々な構造のエキスパンションジョイントに取り付けて利用できるように構成し、施工の容易化及び工数の削減を図ることを課題とする。
【０００７】
【課題を解決するための手段】
前記課題を解決するため本発明は、間隙を介在させて相対する躯体間に床カバー板をスライド移動自在に設置して間隙を閉鎖するエキスパンションジョイントにおいて、両端部間が伸縮自在な複数の伸縮体の各一端部を一方の躯体の壁面に回転自在に連結し、各他端部を他方の躯体の壁面に回転自在に且つ間隙長手方向へスライド移動自在に連結するとともに、これら伸縮体と交差するように配置したビーム材の一端部を一方の躯体の壁面に回転自在に連結し、他端部を他方の躯体の壁面に回転自在に且つ前記伸縮体と一体に間隙長手方向へスライド移動自在に連結して構成される欠損カバー装置を、床カバー板の下側に設けたことを特徴とする。
【０００８】
また、本発明のエキスパンションジョイントの欠損カバー装置は、間隙を介在させて相対する一方の躯体に固定して取り付けられる固定枠板と、他方の躯体にスライド移動自在に取り付けられる滑動枠板と、両端部の間隔を伸縮し得るように設けられていて前記両枠板に両端部がそれぞれ回転自在に支持される複数の伸縮体と、これら伸縮体と交差するように配置されて前記両枠板に両端部がそれぞれ回転自在に支持されるビーム材とを有して構成されることを特徴とする。
【０００９】
本発明の欠損カバー装置は、床カバー板下側の間隙内であって、躯体変動に伴う床カバー板のスライド移動によって欠損部となる空間部に設置される。躯体の変動が発生した場合、床カバー板がＹ方向へ大きくスライド移動しときは、欠損カバー装置は床カバー板のスライドによって出来た欠損部分に保持されて伸縮体が欠損部を塞ぎ、床カバー板の側方に歩行通路を形成して歩行の安全性を確保する。欠損カバー装置は、各伸縮体の伸縮、その両端部における回動及び一側の躯体壁面に沿ったスライド移動により躯体の変動量及びその方向に応じて変形するため、エキスパンションジョイントが変動を吸収する妨げとなることはない。また、欠損カバー装置は、エキスパンションジョイントとは別個に設置され、床カバー板のスライド動作に連動して変形するようには構成されていないので、エキスパンションジョイントの設置場所や床カバー板の形状などに関わりなく、適宜な構造のエキスパンションジョイントに取り付けて利用可能である。
【００１０】
【発明の実施の形態】
本発明の好適な実施の形態を図面を参照して説明する。
図１は躯体Ａと躯体Ｂの間隙Ｇに設置したエキスパンションジョイントの構成部材の配置を示した図、図２はその側断面を示した図であり、図示されるように、このエキスパンションジョイント１は、隣接した躯体Ａ、Ｂの床面を連結して間隙Ｇを塞ぐ床パネル板２と、床パネル板２の両側に立設された伸縮壁体３、３と、床パネル板２の下側に設置された欠損カバー装置４、４とを備えて構成されている。なお、図２を除いた各図では床パネル板２と伸縮壁体３を破線で示してある。
【００１１】
床パネル板２は、間隙Ｇよりも幅が２倍近く広い幅広の矩形板状に形成されており、片側の端部を躯体Ａの外壁に沿ってＹ方向へスライド移動可能に支持し、他側の端部を躯体Ｂの床面上に載せてＸ方向へスライド移動可能に支持して取り付けてある。
詳しくは、図２に示されるように、床パネル板２の躯体Ａ側の端部２１は、その下縁に固着された突条部２１ａを、躯体Ａの開口６１の下縁に沿って外壁６２から突出させた水平に伸びた凹溝部６２ａに嵌め入れて、端部２１を外壁６２に接し合わせたまま水平にスライド移動し得るように設置してある。また、床パネル板２の躯体Ｂ側の端部２２は、躯体Ｂ側の床面７１に重ね合わせて当該床面上をＸ方向へスライド移動し得るように設置してある。床パネル板２は、躯体Ａ、Ｂに支持させた状態で水平に維持されて、両体の床面と略面一に連なった床面を形成するとともに両床面に面した開口Ｇを覆ってその上面を閉鎖する。
【００１２】
伸縮壁体３、３は、適宜な高さを有する複数の板体を組み合わせて両側端部の間隔を伸縮し得るように構成されており、間隙Ｇを挟んで対向した躯体Ａと躯体Ｂの外壁面で前記両側端部をそれぞれ回動自在に支持して取り付けてある。
詳しくは、図１に示されるように、伸縮壁体３、３は、その躯体Ａ側の端部を開口６１の両側の外壁６２、６２に、回転軸を躯体間隙高さ方向（以下、Ｚ方向という）に向けて設置された支軸６２ｂ、６２ｂに連結し、また、他側の端部を躯体Ｂの床面７１の両側に立設した外壁７２、７２に、同じく回転軸をＺ方向に向けて設置された支軸７２ａ、７２ａに連結してあり、Ｘ方向への変動が起きたときは両側端部間が伸縮し、Ｙ方向への変動が起きたときには両端が前記支軸６２ｂ、７２ａ廻りをそれぞれ回動して、両躯体との連結状態を維持したままＸ、Ｙ何れの方向にも変位し得るように設置してある。
【００１３】
欠損カバー装置４、４は、それぞれ躯体Ａに取り付けられる固定枠板４１と、躯体Ｂに取り付けられる滑動枠板４２と、両枠板間に架け渡して取り付けられる複数の伸縮体４３及びビーム材４４との各部材により構成されており、床カバー板２の下側の間隙Ｇ内で、床カバー板２の左右の片半面にそれぞれ重なるように配して設置されている。
【００１４】
詳しくは、固定枠板４１は、長尺なステンレス板などの鋼板を長手方向に沿った折れ目で断面略コ字形に折り曲げてなり、図１に示されるように、その一端部４１ａを開口６１よりも若干外側に位置させて、間隙Ｇに接する躯体Ａの外壁６２に水平に固定して取り付けてある。
【００１５】
滑動枠板４２は、固定枠板４１と同様に長尺鋼板を断面略コ字形に折り曲げてなる枠板の中央面部に、躯体Ｂの外壁７２に取り付けられたガイド体４２ｃと係合し同体に沿ってスライド移動可能に形成された係合体４２ｂを固着して形成してある。係合体４２ｂとガイド体４２ｃは係合対応形状の凹凸係合筋を表面に設けたアルミ押し出し形材であり、ガイド体４２ｃは床パネル板２よりも長尺に形成されていて、図２に示されるように、前記固定枠板４１と対面する躯体Ｂの外壁７２に、固定枠板４１と同高さ且つ水平に固定して取り付けてある。滑動枠板４２は、ガイド体４２ｃに係合体４２ｂを係合させて当該ガイド体に支持され、ガイド体４２ｃに沿って外壁７２の表面をＹ方向へスライド移動し得るように設置してある。
【００１６】
伸縮体４３は、図２及び図３に示されるように、表面に係合対応形状の凹凸係合筋を設けた適宜な長さを有する一対のアルミ押し出し形材４３１、４３２を互いに係合一体化させてなり、両形材が長手方向に沿って相互にスライドすることによって、その両端部４３ａ、４３ｂの間隔を伸縮することができるように形成されている。各伸縮体４３は、図３及び図４に示されるように、一側の端部４３ａが、固定枠板４１の上面に一定の間隔を開けて複数設置された、回転軸をＺ方向に向けた支軸５１で回転自在に支持され、また、他側の端部４３ｂが、滑動枠板４２の上面に一定の間隔を開けて複数設置された、回転軸をＺ方向に向けた支軸５２で回転自在に支持されて両枠板の上面に平行に並べて設置されており、両端部４３ａ、４３ｂが各支軸廻りで回動することにより、両枠板に対する各伸縮体４３の交差角度を変えることができるようになっている（図５、図６参照）。
【００１７】
なお、欠損部を閉鎖した各伸縮体４３に歩行者が足を踏み入れたときに、各伸縮体４３にかかる荷重に対する強度維持のため、各伸縮体４３は、その短手辺を鉛直に向けて両枠板上に取り付けてある。また、歩行者の足が脱落しないよう、隣接する伸縮体４３との間隙、つまり支軸５１及び支軸５２の配置間隔は、一般的な大人の靴幅よりも狭い８５ｍｍ程度に設定してある。
【００１８】
ビーム材４４は、ステンレスなどの鋼材からなり、図１及び図３に示されるように、前記両枠板の下側で各伸縮体４３と交差するように配置するとともに、その一端部を固定枠板４１の端部４１ａの下面で回転軸を前記支軸５１と同方向に向けて当該支軸直下に設置された支軸５３に回転自在に連結し、また、他端部を滑動枠板４２の端部４２ａの下面で回転軸を前記支軸５２と同方向に向けて当該支軸直下に設置された支軸５４に回転自在に連結して取り付けてある。
【００１９】
これらの部材からなる欠損カバー装置４は、適宜な間隔を開けて固定枠板４１と滑動枠板４２を並置し、その上面に設けた各支軸５１、５２に各伸縮体４３の両端部４３ａ、４３ｂを枢着するとともに、その下面に設けた支軸５３及び支軸５４にビーム材の両端部をそれぞれ枢着して構成される。
両枠板を間隙Ｇの幅（ｇ）だけ離間させた状態では、図４に示されるように、各伸縮体４３は最大伸長幅の略１／２程度の長さとなって両枠板に対して斜めに傾斜した配置となる。同図において、固定枠板４１を固定した状態でビーム材４４が支軸５３を支点として時計廻りに回転すると、各伸縮体４３が伸長すると同時に滑動枠板４２が左方にスライドして間隙幅ｇは広がり、ビーム材４４が支軸５３を支点として反時計廻りに回転すると、各伸縮体４３が縮退すると同時に滑動枠板４２が右方にスライドして間隙幅ｇは狭まる。つまり、欠損カバー装置４は、前記支軸５３を支点としてビーム材４４が回転するのに伴って滑動枠板４２上面の各支軸５２がビーム材４４端部の回転軌跡と平行な軌跡に沿って変位せしめられ、これに応じて各伸縮体４３が伸縮変形し、間隙幅ｇの伸縮がなされるようになっている。
【００２０】
図１に示されるように、本形態のエキスパンションジョイント１では、床カバー板２の両側の間隙Ｇが欠損部となる可能性があるため、当該欠損部となる位置に重ねて欠損カバー装置４、４を設置してある。同図において、間隙Ｇ内に設置された二つの欠損カバー装置４、４の内、左側は前記図４に示された構成のもの、右側は図４に示されたものとは左右対称に構成されたものである。
このように構成されたエキスパンションジョイント１は、躯体Ａの開口６１の下縁で支持された床カバー板２が間隙Ｇ内に水平に張り出して躯体Ｂの床面７１に重なり合わさって間隙Ｇを閉鎖する。
【００２１】
地震などによって躯体Ａ、ＢがＸ方向に変動して間隙Ｇが狭まった場合、両躯体の変動に伴って床カバー板２が床面７１の上面を同方向へスライド移動し、また、伸縮壁体３も同方向へ縮退して変動を吸収する。このとき、図７に示されるように、欠損カバー装置４は、両躯体の変動に伴いビーム材４４にかかる圧縮によって滑動枠板４２が床カバー板２の中央側へスライド移動せしめられ、これに伴って各伸縮体３３が縮み、狭まった間隙Ｇ内に折り畳められる。
【００２２】
他方、躯体Ａ、ＢがＸ方向に変動して間隙Ｇが広がった場合、床カバー板２が床面７１の上面を同方向へスライド移動し、また、伸縮壁体３も同方向へ伸長して変動を吸収する。このとき、図８に示されるように、欠損カバー装置４は、両躯体の変動に伴いビーム材４４にかかる引っ張り力によって滑動枠板４２が床カバー板２の外側へスライド移動せしめられ、これに伴って各伸縮体３３が伸長し、広がった間隙Ｇ間に大きく拡張する。
【００２３】
また、躯体Ａ、ＢがＹ方向に変動して両躯体の位置が同方向にずれた場合、両躯体の変動に伴って躯体Ｂとともに床カバー板２が躯体躯体Ａの外壁６２に沿ってＹ方向へスライド移動し、また、伸縮壁体３、３が両端部を回動させつつ伸長して変動を吸収する。このとき、図９に示されるように、欠損カバー装置４は滑動枠板４２が躯体Ｂの外壁７２に沿って相対スライドして当初の取り付け形状のままに保持されるので、開口部６１と床カバー板２の外面との間の欠損部Ｓは当該位置に複数並置された伸縮体４３によって閉鎖され、床カバー板２の側方に歩行通路を形成して歩行の安全性を確保することができる。
【００２４】
躯体Ａ、ＢがＸ、Ｙ両方向にそれぞれ変動した場合、前記と同様、両躯体の変動に応じて床カバー板２と伸縮壁体３、３が変位して変動を吸収する。このとき、両躯体のＹ方向への変動に伴ってできる開口部６１と床カバー板２の外面との間の欠損部Ｓも、図１０に示されるように、床カバー板２の側方に張り出した欠損カバー装置４によって閉鎖され、歩行の安全性を確保することができる。
【００２５】
なお、図では床カバー板の両側が間隙となる形態のエキスパンションジョイントを示したが、本発明はカバー板の形状や変動吸収構造、躯体状況を選ばずに施工可能である。また、図示した床カバー板、伸縮壁体及び欠損カバー装置の形態は一例であり、各部材は他の適宜な形態に設けることができる。
伸縮体はスライド係合するアルミ形材を用いて構成したが、歩行しても変形をきたさない強度を備えた他の伸縮部材を用いて構成してもよい。また、伸縮体及びビーム材の取り付けは、固定枠板や滑動枠板を介在させずに、躯体の壁面に両部材の端部を直接固定し、或いはスライド移動自在に取り付けてもよい。本発明の欠損カバー装置にさらに躯体のＺ方向の変動を吸収する機能を装備させることは適宜に行われる。
【００２６】
【発明の効果】
本発明によれば、床カバー板がスライド移動して出来た欠損部が欠損カバー装置の伸縮体によって閉鎖され、床カバー板の側方に歩行通路を形成して歩行の安全性を確保することができる。また、欠損カバー装置は、エキスパンションジョイントとは別個に設置され、床カバー板のスライド動作と連動するようには構成されていないので、エキスパンションジョイントの設置場所や床カバー板の形状などにかかわりなく、様々な構造のエキスパンションジョイントに取り付けて利用可能であり、これにより施工の容易化と工数の削減を達成することができる。
【図面の簡単な説明】
【図１】本発明の一実施形態のエキスパンションジョイントの構成部材の配置を示した図である。
【図２】図１のエキスパンションジョイントの側断面を示した図である。
【図３】（ア）は図２のア−ア線に沿った断面図、（イ）は同イ−イ線に沿った断面図である。
【図４】本発明の一実施形態の欠損カバー装置の構成を示す平面図である。
【図５】本発明の他の形態の欠損カバー装置の構成を示す外観図である。
【図６】図５の欠損カバー装置の伸縮体を端部で回動させた状態の外観図である。
【図７】図１のエキスパンションジョイントが躯体間隙をＸ方向に狭めたときの欠損カバー装置の動作を示した図である。
【図８】図１のエキスパンションジョイントが躯体間隙をＸ方向に広げたときの欠損カバー装置の動作を示した図である。
【図９】図１のエキスパンションジョイントが躯体間隙をＹ方向にずらしたときの欠損カバー装置の動作を示した図である。
【図１０】図１のエキスパンションジョイントが躯体間隙をＸ、Ｙ両方向に変位させたときの欠損カバー装置の動作を示した図である。
【図１１】従来のエキスパンションジョイントの構成を示し、（ア）は間隙に取り付けた状態、（イ）はＹ方向にカバー板がスライド移動した状態である。
【図１２】従来の欠損カバー装置の構成を床カバー板の下側から示した図である。
【符号の説明】
Ａ  躯体、Ｂ  躯体、Ｇ  間隙、Ｓ  欠損部、１  エキスパンションジョイント、２  床カバー板、３  伸縮壁体、４  欠損カバー装置、４１  固定枠板、４２滑動枠板、４３  伸縮体、４４  ビーム材、５１〜５４  支軸、６１  躯体Ａの開口、６２  躯体Ａの外壁、７１  躯体Ｂの床面、７２  躯体Ｂの外壁
【図１】
0003650387.tif 000002
【図２】
0003650387.tif 000003
【図３】
0003650387.tif 000004
【図４】
0003650387.tif 000005
【図５】
0003650387.tif 000006
【図６】
0003650387.tif 000007
【図７】
0003650387.tif 000008
【図８】
0003650387.tif 000009
【図９】
0003650387.tif 000010
【図１０】
0003650387.tif 000011
【図１１】
0003650387.tif 000012
【図１２】
0003650387.tif 000013